(57)【要約】【課題】差し込み位置を正確に認識することができるコネクタユニットおよび電子機器を提供する。【解決手段】コネクタユニット２１では、第１収容空間２７は開口２５からコネクタ２６に向かって延びる。この第１収容空間２７には第２収容空間２８が隣接する。第２収容空間２８には視認部材３３が配置される。視認部材３３は第２収容空間２８から開口２５に臨む。こうして開口２５内には視認部材３３が視認されることができる。視認部材３３の働きで第１収容空間２７の位置は正確に認識されることができる。例えば第１収容空間２７の断面形状に等しいＰＣカードの差し込み位置は正確に認識されることができる。ＰＣカードの端子とコネクタ２６との間で誤った接触は確実に回避される。【選択図】図４
2007115519.tif 000002
【特許請求の範囲】
【請求項１】
コネクタと、開口からコネクタに向かって延びる第１収容空間、および、第１収容空間に隣接して当該開口から延びる第２収容空間を区画する本体と、第２収容空間から開口に臨む視認部材とを備えることを特徴とするコネクタユニット。
【請求項２】
請求項１に記載のコネクタユニットにおいて、前記第２収容空間内で前記第１および第２収容空間の境界面に沿って前記視認部材の移動を案内する案内機構をさらに備えることを特徴とするコネクタユニット。
【請求項３】
請求項２に記載のコネクタユニットにおいて、前記視認部材は、前記第１および第２収容空間の境界面に沿って案内面を規定することを特徴とするコネクタユニット。
【請求項４】
請求項１に記載のコネクタユニットにおいて、前記第１収容空間内で前記第１および第２収容空間の境界面に沿って前記コネクタの移動を案内する案内機構をさらに備えることを特徴とするコネクタユニット。
【請求項５】
筐体と、筐体の収容空間に収容されるコネクタと、筐体に区画される開口からコネクタに向かって延びる第１収容空間、および、第１収容空間に隣接して当該開口から延びる第２収容空間を区画する本体と、第２収容空間から開口に臨む視認部材とを備えることを特徴とする電子機器。
【発明の詳細な説明】
【技術分野】
【０００１】
本発明は、例えばＥｘｐｒｅｓｓＣａｒｄ（以下、「エクスプレスカード」）といったＰＣカードを接続するコネクタユニットに関する。
【背景技術】
【０００２】
エクスプレスカードといったＰＣカードは広く知られる。エクスプレスカードの規格は業界団体ＰＣＭＣＩＡに基づき策定される。エクスプレスカードは例えばノートブックパーソナルコンピュータ（以下、「ノートパソコン」）の差し込み口に差し込まれる。エクスプレスカードの端子はノートパソコン内でコネクタに接続される。エクスプレスカードの働きでノートパソコンの機能は拡張される。こういったエクスプレスカードの幅は３４ｍｍおよび５４ｍｍの２種類に設定される。
【発明の開示】
【発明が解決しようとする課題】
【０００３】
ノートパソコンの差し込み口のサイズは５４ｍｍ幅のエクスプレスカードに合わせて区画される。したがって、ノートパソコンの利用者は、差し込み口内で３４ｍｍ幅のエクスプレスカードの差し込み位置を認識しづらい。その結果、３４ｍｍ幅のエクスプレスカードが誤った差し込み位置に差し込まれると、エクスプレスカードの端子はコネクタに誤って接触してしまう。端子は破損してしまう。
【０００４】
本発明は、上記実状に鑑みてなされたもので、差し込み位置を正確に認識することができるコネクタユニットおよび電子機器を提供することを目的とする。
【課題を解決するための手段】
【０００５】
上記目的を達成するために、本発明によれば、コネクタと、開口からコネクタに向かって延びる第１収容空間、および、第１収容空間に隣接して当該開口から延びる第２収容空間を区画する本体と、第２収容空間から開口に臨む視認部材とを備えることを特徴とするコネクタユニットが提供される。
【０００６】
こうしたコネクタユニットでは、第１収容空間にはコネクタが収容される。第１収容空間には第２収容空間が隣接する。視認部材は第２収容空間から開口に臨む。こうして開口内には視認部材が視認されることができる。視認部材の働きで第１収容空間の位置は正確に認識されることができる。例えば第１収容空間の断面形状に等しい形状を有するＰＣカードの差し込み位置は正確に認識されることができる。ＰＣカードの端子とコネクタとの間で誤った接触は確実に回避される。
【０００７】
こういったコネクタユニットは、第２収容空間内で第１および第２収容空間の境界面に沿って視認部材の移動を案内する案内機構をさらに備えてもよい。こうした案内機構の案内に基づき視認部材は境界面に沿って移動することができる。例えば開口の形状に等しい形状を有するＰＣカードが開口から差し込まれても、視認部材の移動に基づきＰＣカードは第１および第２収容空間に収容されることができる。コネクタユニットには例えば異なる形状のＰＣカードが差し込まれることができる。
【０００８】
コネクタユニットでは、視認部材は、第１および第２収容空間の境界面に沿って案内面を規定すればよい。案内面の働きで例えば第１収容空間の断面形状に等しいＰＣカードの移動は案内されることができる。ＰＣカードの端子は正確な方向からコネクタに接続されることができる。端子やコネクタの破損は確実に回避されることができる。
【０００９】
コネクタユニットは、第１収容空間内で第１および第２収容空間の境界面に沿ってコネクタの移動を案内する案内機構をさらに備えてもよい。こうした案内機構の働きでコネクタは境界面に沿って移動することができる。その結果、コネクタは開口にできる限り近接する位置に配置されることができる。コネクタは開口内に視認されることができる。例えばＰＣカードの差し込み位置は一層正確に認識されることができる。
【００１０】
以上のようなコネクタユニットは電子機器に組み込まれてもよい。電子機器は、筐体と、筐体の収容空間に収容されるコネクタと、筐体に区画される開口からコネクタに向かって延びる第１収容空間、および、第１収容空間に隣接して当該開口から延びる第２収容空間を区画する本体と、第２収容空間から開口に臨む視認部材とを備えればよい。
【発明の効果】
【００１１】
以上のように本発明によれば、差し込み位置を正確に認識することができるコネクタユニットおよび電子機器は提供されることができる。
【発明を実施するための最良の形態】
【００１２】
以下、添付図面を参照しつつ本発明の一実施形態を説明する。
【００１３】
図１は本発明に係る電子機器の一具体例すなわちノートブックパーソナルコンピュータ（以下、「ノートパソコン」）１１の構造を概略的に示す。このノートパソコン１１は、第１筐体すなわち本体筐体１２と、本体筐体１２に連結される第２筐体すなわちディスプレイ用筐体１３とを備える。本体筐体１２やディスプレイ用筐体１３は例えばポリカーボネートといった強化樹脂材料から構成されればよい。
【００１４】
本体筐体１２には例えばマザーボードが組み込まれる。マザーボード上には例えばＣＰＵ（中央演算処理装置）やメモリといった電子回路素子が搭載される。ＣＰＵは、例えばメモリに一時的に格納されるソフトウェアプログラムやデータに基づき様々な演算処理を実行する。ソフトウェアプログラムやデータは、同様に本体筐体１２内に収容されるハードディスク駆動装置（ＨＤＤ）といった大容量記憶装置に格納されればよい。
【００１５】
本体筐体１２にはキーボード１４や入力ボタン１５といった入力装置が組み込まれる。こういった入力装置１４、１５の働きでノートパソコン１１の使用者はＣＰＵに向けて様々な指令やデータを入力することができる。
【００１６】
ディスプレイ用筐体１３には、例えば液晶ディスプレイ（ＬＣＤ）パネル１６といった平面ディスプレイパネルが組み込まれる。ＬＣＤパネル１６の表示画面はディスプレイ用筐体１３の表面に露出する。表示画面にはＣＰＵの演算処理に基づき様々なテキストやグラフィックスが表示されることができる。
【００１７】
ディスプレイ用筐体１３は、本体筐体１２の一端に設定される回転軸１７回りで回転自在に本体筐体１２に結合される。こうしてディスプレイ用筐体１３は本体筐体１２に対して相対的に回転移動することができる。こういった回転移動に基づきディスプレイ用筐体１３は本体筐体１２に重ね合わせられることができる。
【００１８】
本体筐体１２にはＰＣカード用の開口すなわち差し込み口１８が形成される。図２に示されるように、差し込み口１８にはコネクタユニット２１の前端が臨む。コネクタユニット２１は本体筐体１２の収容空間に収容される。コネクタユニット２１には、差し込み口１８からエクスプレスカード（ＥｘｐｒｅｓｓＣａｒｄ）といったＰＣカードが差し込まれる。
【００１９】
図３は本発明の第１実施形態に係るコネクタユニット２１の外観を概略的に示す。コネクタユニット２１は本体２２を備える。本体２２は、例えば本体筐体１２の底板に固定されるプリント基板２３と、プリント基板２３上に実装されるカバー２４とを備える。プリント基板２３は前述のマザーボードに接続される。
【００２０】
カバー２４は、プリント基板２３から直立する１対の直立壁２４ａ、２４ａと、直立壁２４ａ、２４ａを接続する天板２４ｂとから構成される。直立壁２４ａ、２４ａ同士は平行に広がる。こうしてプリント基板２３およびカバー２４はＰＣカードの収容空間を区画する。収容空間の前端はＰＣカード用の開口すなわち進入口２５を区画する。進入口２５は本体筐体１２の差し込み口１８に向き合わせられる。
【００２１】
図４に示されるように、本体２２の収容空間にはＰＣカード接続用のコネクタ２６が収容される。コネクタ２６はプリント基板２３上に実装されればよい。コネクタ２６はプリント基板２３上で収容空間の後方に配置される。コネクタ２６から延びる突片や導電端子はプリント基板２３上の導電パターンに例えばはんだ付けされればよい。
【００２２】
本体２２の収容空間には進入口２５から後方に向かって相互に平行に延びる１対の案内部材３１、３１が収容される。案内部材３１は直立壁２４ａの内壁面に沿って延びる。案内部材３１、３１同士の間には所定の間隔が確保される。この間隔は５４ｍｍ幅のエクスプレスカードの幅に相当する。
【００２３】
案内部材３１、３１には相互に向き合わせられる対向面に長溝３２、３２が形成される。長溝３２は案内部材３１の長手方向の全長にわたって形成されればよい。長溝３２は５４ｍｍ幅のエクスプレスカードの側端を受け入れる。案内部材３１、３１の働きで５４ｍｍ幅のエクスプレスカードはプリント基板２３の表面に沿って収容空間内を移動することができる。
【００２４】
本体２２の収容空間は、進入口２５からコネクタ２６に向かって延びる第１収容空間２７と、第１収容空間２７に隣接して進入口２５から延びる第２収容空間２８とで区画される。こうして第１および第１収容空間２７、２８の間には境界面２９が規定される。ここでは、境界面２９はカバー２４の直立壁２４ａに平行に規定される。
【００２５】
第１収容空間２７の後端には前述のコネクタ２６が配置される。その一方で、第２収容空間２８の前端には例えば箱形の視認部材３３が配置される。視認部材３３は第２収容空間２８から進入口２５に臨む。こうして視認部材３３は進入口２５すなわち差し込み口１８内で視認されることができる。
【００２６】
視認部材３３は側面で境界面２９に沿って案内面３４を規定する。案内面３４は第１収容空間２７の案内部材３１に向き合わせられる。案内部材３１および案内面３４の間には所定の間隔が確保される。この間隔は３４ｍｍ幅のエクスプレスカードの幅に相当する。案内部材３１の長溝３２および案内面３４の働きで３４ｍｍ幅のエクスプレスカードはプリント基板２３の表面に沿って第１収容空間２７内を移動することができる。
【００２７】
視認部材３３には案内機構３６が連結される。案内機構３６は、視認部材３３に入れ子式に収容される第１および第２箱部材３７、３８を備える。第１箱部材３７は視認部材３３に収容されることができる。同様に、第２箱部材３８は第１箱部材３７に収容されることができる。
【００２８】
案内機構３６は、視認部材３３に接続されるコイルばね３９を備える。コイルばね３９の一端は例えば視認部材３３の前端に受け止められる。その一方で、コイルばね３９の他端は、例えばプリント基板２３から直立する支柱４１に受け止められる。コイルばね３９は第１および第２箱部材３７、３８を貫通する。コイルばね３９の弾性伸張力に基づき視認部材３３には進入口２５に向かって前方に押し出し力が作用する。
【００２９】
案内機構３６は、視認部材３３の上端面に形成されて相互に平行に延びる１対のレール４２、４２をさらに備える。レール４２は案内部材３１に平行に延びればよい。レール４２は、視認部材３３の前端から後退する位置に前端を規定する。図５を併せて参照し、レール４２は、天板２４ｂの内壁面に形成される長溝４３に受け入れられる。長溝４３は、天板２４ｂの前端から後退する位置から天板２４ｂの後端まで延びればよい。
【００３０】
こういったレール４２および長溝４３の案内に基づき視認部材３３は境界面２９に沿って第２収容空間２８内を移動することができる。ここでは、視認部材３３はプリント基板２３上で第２収容空間２８の前端および後端の間で移動する。後述されるように、移動に伴って視認部材３３は第１および第２箱部材３７、３８を順次収容する。視認部材３３が支柱４１に向かって移動するにつれてコイルばね２８には弾性伸張力が蓄積される。
【００３１】
いま、図６に示されるように、本体筐体１２の差し込み口１８から５４ｍｍ幅のエクスプレスカード４５が差し込まれる場面を想定する。周知の通り、エクスプレスカード４５は３４ｍｍ幅の突部４６を区画する。エクスプレスカード４５には、突部４６の前端に区画される第１前端面４７と、第１前端面４７から後退する第２前端面４８とが規定される。第１前端面４７には端子（図示されず）が配置される。第１前端面４７の形状は第１収容空間２７の断面形状にほぼ一致する。
【００３２】
エクスプレスカード４５は第１前端面４７から差し込み口１８すなわち進入口２５に差し込まれる。エクスプレスカード４５の突部４６は第１収容空間２７に進入する。図７に示されるように、突部４６の側端は案内部材３１の長溝３２および視認部材３３の案内面３４に案内される。こうしてエクスプレスカード４５はプリント基板２３の表面に沿って移動する。同時に、第２前端面４８は視認部材３３の前端面に受け止められる。
【００３３】
エクスプレスカード４５がさらに押し込まれると、エクスプレスカード４５は第１前端面４８で視認部材３３を第２収容空間２８の後方に向かって押し込む。エクスプレスカード４５の側端は第２収容空間２８の案内部材３１の長溝３２に案内される。レール４２は長溝４３内を移動する。視認部材３３はコイルばね３９の弾性伸張力に抗して境界面２９に沿って移動する。コイルばね３９には弾性伸張力が蓄積されていく。
【００３４】
視認部材３３が境界面２９に沿って移動するにつれて、第１箱部材３７は視認部材３３内に収容されていく。同様に、第２箱部材３８は第１箱部材３７内に収容されていく。こうしてエクスプレスカード４５がさらに押し込まれると、図８に示されるように、第１および第２箱部材３７、３８は視認部材３３に収容される。第１前端面４７の端子はコネクタ２６に接続される。こうしてノートパソコン１１の機能は拡張される。
【００３５】
その一方で、エクスプレスカード４５が差し込み口１８から引き出されると、端子およびコネクタ２６の間で接続は解消される。長溝３２に案内されつつエクスプレスカード４５は差し込み口１８から引き出される。このとき、コイルばね３９の弾性伸張力の働きで長溝４３に案内されつつ視認部材３３は進入口２５に向かって前方に押し出される。
【００３６】
エクスプレスカード４５が差し込み口１８から完全に引き出されると、視認部材３３は第２収容空間２８から進入口２５に臨む。こうして視認部材３３は差し込み口１８内で視認されることができる。長溝４３は天板２４ｂの前端から後退する位置に前端を規定することから、レール４２の前端は長溝４３の前端に受け止められる。その結果、進入口２５から外部空間に視認部材３３の脱落は回避される。
【００３７】
次に、図９に示されるように、本体筐体１２の差し込み口１８から３４ｍｍ幅のエクスプレスカード５１が差し込まれる場面を想定する。エクスプレスカード５１の前端面５２には端子（図示されず）が配置される。周知の通り、エクスプレスカード５１の幅は前端から後端まで３４ｍｍに設定される。前述と同様に、前端面５２の形状は第１収容空間２７の断面形状にほぼ一致する。
【００３８】
エクスプレスカード５１は前端面５２から差し込み口１８すなわち進入口２５に差し込まれる。図１０に示されるように、エクスプレスカード５１は第１収容空間２７に進入する。エクスプレスカード５１は第１収容空間２７の案内部材３１の長溝３２および視認部材３３の案内面３４に案内される。エクスプレスカード５１はプリント基板２３の表面に沿って移動する。
【００３９】
エクスプレスカード５１がさらに押し込まれると、図１１に示されるように、前端面５２の端子はコネクタ２６に接続される。こうしてノートパソコン１１の機能は拡張されることができる。エクスプレスカード５１の幅は３４ｍｍに設定されることから、視認部材３３の前端面との接触は回避される。しかも、コイルばね３９の弾性伸張力の働きで視認部材３３には前方に押し出し力が作用する。こうして視認部材３３の移動は回避される。
【００４０】
その一方で、エクスプレスカード５１が差し込み口１８から引き出されると、端子およびコネクタ２６の間で接続は解消される。長溝３２および案内面３４に案内されつつエクスプレスカード５１は差し込み口１８から引き出される。このとき、前述と同様に、視認部材３３の移動は回避される。視認部材３３は常に差し込み口１８内で視認されることができる。
【００４１】
以上のようなノートパソコン１１では、エクスプレスカード４５、５１の差し込みにあたって、差し込み口１８内に視認部材３３が視認されることができる。視認部材３３の働きで第１収容空間２７の位置は正確に認識されることができる。すなわち、エクスプレスカード４５の突部４６やエクスプレスカード５１の差し込み位置は正確に認識されることができる。エクスプレスカード４５、５１の端子とコネクタ２６との間で誤った接触は確実に回避される。
【００４２】
しかも、案内機構３６の案内に基づき視認部材３３は境界面２９に沿って第２収容空間２８の後方に向かって移動することができる。差し込み口１８に５４ｍｍ幅のエクスプレスカード４５が差し込まれても、視認部材３３の移動に基づきエクスプレスカード４５は第１および第２収容空間２７、２８に収容されることができる。
【００４３】
加えて、視認部材３３の側面には案内面３４が規定される。案内面３４の働きでエクスプレスカード４５の突部４６やエクスプレスカード５１は案内される。エクスプレスカード４５、５１の端子は正確な方向からコネクタ２６に接続されることができる。端子やコネクタ２６の破損は確実に回避されることができる。
【００４４】
図１２は、本発明の第２実施形態に係るコネクタユニット２１ａの構造を概略的に示す。このコネクタユニット２１ａでは、コネクタ２６は連結部材５６で視認部材３３に連結される。ここでは、連結部材５６はコネクタ２６の後端や視認部材３３の後端を受け止めればよい。こうしてレール４２および長溝４３の案内に基づき視認部材３３すなわちコネクタ２６はプリント基板２３の表面に沿って移動することができる。
【００４５】
ここでは、天板２４ｂの長溝４３は、天板２４ｂの後端から前進する位置で後端を規定する。同様に、レール４２は、視認部材３３の後端から前進する位置で後端を規定する。視認部材３３すなわち連結部材５６が後方に移動すると、レール４２の後端は長溝４３の後端に受け止められる。こうして第１収容空間２７内の前端や後端で視認部材３３すなわちコネクタ２６の移動は規制される。ここで、連結部材５６やレール４２、長溝４３はコネクタ２６の案内機構を構成する。
【００４６】
コネクタ２６はフレキシブルプリント基板５７に基づきプリント基板２３に接続される。フレキシブルプリント基板５７は連結部材５６の後端から後方に向かって延びればよい。フレキシブルプリント基板５７上には配線パターンが描かれる。連結部材５６の後端面には前述のコイルばね３９の一端が受け止められる。コイルばね３９の他端は支柱４１に受け止められる。
【００４７】
案内部材３１、３１の前方にはフック部材５８、５８が配置される。フック部材５８は差し込み口１８および進入口２５の間に配置される。フック部材５８には弾性伸縮部材すなわちコイルばね５９が連結される。コイルばね５９の弾性力の働きでフック部材５８、５８同士は相互に近づいたり遠ざかったりすることができる。こうしたフック部材５８は例えば本体筐体１２の内壁面に連結されればよい。
【００４８】
図１３に示されるように、レール４２および長溝４３の案内に基づき連結部材５６の移動が引き起こされると、フレキシブルプリント基板５７には撓みが形成される。こうした撓みに基づき連結部材５６すなわちコネクタ２６の移動にも拘わらずコネクタ２６およびプリント基板２３の間で接続は確保される。その他、前述の第１実施形態と均等な構成や構造には同一の参照符号が付される。
【００４９】
いま、前述と同様に、本体筐体１２の差し込み口１８から５４ｍｍ幅のエクスプレスカード４５が差し込まれる場面を想定する。エクスプレスカード４５は第１前端面４７から差し込み口１８すなわち進入口２５に差し込まれる。エクスプレスカード４５の両側端との接触に基づきフック部材５８、５８は相互に離れる方向に変位する。コイルばね５９には弾性伸張力が蓄積される。図１４に示されるように、フック部材５８の先端はエクスプレスカード４５の両側端に受け止められる。
【００５０】
エクスプレスカード４５は第２前端面４８で視認部材３３を後方に向かって押し込む。エクスプレスカード４５の両側端は案内部材３１の長溝３２に案内される。エクスプレスカード４５の移動に伴ってフック部材５８はエクスプレスカード４５の側端面上を摺動する。レール４２は長溝４３内を移動する。連結部材５６はコイルばね３９の弾性伸張力に抗して移動する。コネクタ２６は境界面２９に沿って移動する。コイルばね３９には弾性伸張力が蓄積されていく。
【００５１】
エクスプレスカード４５がさらに後方に押し込まれると、レール４２の後端は長溝４３の後端に受け止められる。連結部材５６の移動は規制される。図１５に示されるように、エクスプレスカード４５の端子はコネクタ２６に接続される。こうしてノートパソコン１１の機能は拡張されることができる。このとき、コイルばね５９の弾性伸張力の働きでエクスプレスカード４５の後端はフック部材５８に受け止められる。外部空間にエクスプレスカード４５の脱落は防止される。同時に、前方に向かって連結部材５６の移動は規制される。
【００５２】
その一方で、エクスプレスカード４５の引き出しにあたって例えばカード排出機構（図示されず）が利用される。カード排出機構は前述のフック部材５８に連結されればよい。すなわち、カード排出機構が動作すると、フック部材５８は相互に遠ざかる方向に変位する。こうした変位に基づきフック部材５８とエクスプレスカード４５の後端との接触は回避される。
【００５３】
このとき、コイルばね３９の弾性伸張力の働きで長溝４３に案内されつつ連結部材５６は進入口２５に向かって前方に押し出される。連結部材５６が収容空間の前端に配置されると、レール４２の前端は案内溝４３の前端に受け止められる。前方に向かって連結部材５６の移動は規制される。このとき、エクスプレスカード４５が差し込み口１８から引き出されると、端子およびコネクタ２６の間で接続は解消される。
【００５４】
その一方で、本体筐体１２の差し込み口１８から３４ｍｍ幅のエクスプレスカード５１が差し込まれる場合には、図１６に示されるように、エクスプレスカード５１は第１収容空間２７の案内部材３１の長溝３２および案内面３４に案内される。エクスプレスカード５１の端子がコネクタ２６に接続されると、エクスプレスカード５１の後端は一方のフック部材５８に受け止められる。
【００５５】
以上のようなコネクタユニット２１ａによれば、コネクタ２６は連結部材５６で視認部材３３に連結される。連結部材５６の移動に基づきコネクタ２６は境界面２９に沿って移動することができる。その結果、コネクタ２６は、進入口２５にできる限り近接する位置に配置されることができる。コネクタ２６は進入口２２すなわち差し込み口１８内に視認されることができる。エクスプレスカード４５の突部４６やエクスプレスカード５１の差し込み位置は正確に認識されることができる。
【００５６】
図１７は本発明の第３実施形態に係るコネクタユニット２１ｂの構造を概略的に示す。このコネクタユニット２１ｂは、第１収容空間２７の前端に配置される第１視認部材すなわち第１カバー６１と、第２収容空間２８の前端に配置される第２視認部材すなわち第２カバー６２とを備える。第１および第２カバー６１、６２は収容空間から進入口２５に臨む。第１カバー６１の幅は例えば３４ｍｍに設定される。第２カバー６２の幅は例えば２０ｍｍに設定される。
【００５７】
図１８に示されるように、第１および第２カバー６１、６２は、例えば天板２４ｂの前端に規定される回転軸６３回りに天板２４ｂに揺動自在に取り付けられる。第１および第２カバー６１、６２は個別に揺動することができる。揺動の実現にあたって例えばヒンジ機構（図示されず）が利用されればよい。こうして第１および第２カバー６１、６２は、進入口２５に沿って配置されて進入口２５を閉鎖する閉じ位置と、平板２４ｂの内壁面に沿って配置されて進入口２５を開放する開き位置との間で揺動する。
【００５８】
第１および第２カバー６１、６２には例えばねじりコイルばね（図示されず）が連結されればよい。周知の通り、ねじりコイルばねはコイルの中心軸すなわち回転軸６３回りに駆動力を発揮する。こうした駆動力は第１および第２カバー６１、６２を開き位置から閉じ位置に向かって揺動させる。ここでは、第１および第２カバー６１、６２は部分的に本体筐体１２の内壁面に受け止められればよい。その他、前述の実施形態と均等な構成や構造には同一の参照符号が付される。
【００５９】
いま、本体筐体１２の差し込み口１８から５４ｍｍ幅のエクスプレスカード４５が差し込まれる場面を想定する。エクスプレスカード４５の突部４６の幅は３４ｍｍに設定されることから、エクスプレスカード４５の第１前端面４７は第１カバー６１を押し開ける。エクスプレスカード４５の突部４６が第１収容空間２７に押し込まれるにつれて第１前端面４７は回転軸６３回りで第１カバー６１を揺動させていく。
【００６０】
図１９に示されるように、第１カバー６１は閉じ位置から開き位置に向かって揺動する。第１カバー６１がエクスプレスカード４５の表面に受け止められると、第１カバー６１は開き位置に位置決めされる。第１収容空間２７の前端は完全に開放される。エクスプレスカード４５の一側端は第１収容空間２７の案内部材３１の長溝３２に受け入れられる。
【００６１】
続いて、エクスプレスカード４５の第２前端面４８は第２カバー６２を押し開ける。エクスプレスカード４５が収容空間に押し込まれるにつれて第２前端面４８は第２カバー６２を揺動させていく。第２カバー６２は閉じ位置から開き位置に向かって揺動する。第２カバー６２がエクスプレスカード４５の表面に受け止められると、第２カバー６２は開き位置に位置決めされる。第２収容空間２８の前端は完全に開放される。エクスプレスカード４５の一側端は第２収容空間２８の案内部材３１の長溝３２に受け入れられる。
【００６２】
長溝３２の案内に基づきエクスプレスカード４５はプリント基板２３の表面に沿って移動する。第１前端面４７の端子はコネクタ２６に接続される。こうしてノートパソコン１１の機能は拡張されることができる。
【００６３】
その一方で、エクスプレスカード４５が差し込み口１８から引き出されると、端子およびコネクタ２６の間で接続は解消される。長溝３２、３２に案内されつつエクスプレスカード４５は差し込み口１８から引き出される。エクスプレスカード４５が外部空間に引き出されると、ねじりコイルばねの働きで第１および第２カバー６１、６２は開き位置から閉じ位置に向かって揺動する。第１および第２カバー６１、６２は部分的に本体筐体１２の内壁面に受け止められる。
【００６４】
本体筐体１２の差し込み口１８から３４ｍｍ幅のエクスプレスカード５１が差し込まれる場合には、図２０に示されるように、エクスプレスカード５１の前端面５２は第１カバー６１のみを押し開ける。エクスプレスカード５１が第１収容空間２７に押し込まれると、第１カバー６１は揺動に基づき開き位置に位置決めされる。エクスプレスカード５１の一側端は第１収容空間２７の案内部材３１の長溝３２に案内される。こうしてエクスプレスカード５１の端子はコネクタ２６に接続される。
【００６５】
以上のようなコネクタユニット２１ｂでは、エクスプレスカード４５、５１の差し込みにあたって、差し込み口１８内に第１および第２カバー６１、６２が視認されることができる。第１カバー６１は第１収容空間２７の前端に臨むことから、第１および第２カバー６１、６２の働きで第１収容空間２７の位置は正確に認識されることができる。すなわち、エクスプレスカード４５の突部４６やエクスプレスカード５１の差し込み位置は正確に認識されることができる。端子およびコネクタ２６の間で誤った接触は確実に回避される。
【００６６】
その他、第１および第２カバー６１、６２では、少なくとも差し込み口１８に臨む表面に相互に異なる着色が施されてもよい。異なる着色に基づきノートパソコン１１の利用者は第１および第２カバー６１、６２を簡単に見分けることができる。第１および第２カバー６１、６２の位置すなわちエクスプレスカード４５の突部４６やエクスプレスカード５１の差し込み位置は一層正確に認識されることができる。
【図面の簡単な説明】
【００６７】
【図１】本発明に係る電子機器の一具体例すなわちノートブックパーソナルコンピュータの外観を概略的に示す斜視図である。
【図２】差し込み口の構造を概略的に示す部分拡大斜視図である。
【図３】本発明の第１実施形態に係るコネクタユニットの構造を概略的に示す斜視図である。
【図４】本体の収容空間内の構造を概略的に示す斜視図である。
【図５】図３の５−５線に沿った部分拡大断面図である。
【図６】差し込み口から５４ｍｍ幅のエクスプレスカードが差し込まれる様子を概略的に示す部分拡大斜視図である。
【図７】収容空間にエクスプレスカードが進入する様子を概略的に示す図である。
【図８】収容空間内でエクスプレスカードの端子とコネクタとが接続される様子を概略的に示す図である。
【図９】差し込み口から３４ｍｍ幅のエクスプレスカードが差し込まれる様子を概略的に示す部分拡大斜視図である。
【図１０】収容空間にエクスプレスカードが進入する様子を概略的に示す図である。
【図１１】収容空間内でエクスプレスカードの端子とコネクタとが接続される様子を概略的に示す図である。
【図１２】本発明の第２実施形態に係るコネクタユニットの構造を概略的に示す斜視図である。
【図１３】フレキシブルプリント基板が撓んだ様子を概略的に示す斜視図である。
【図１４】収容空間にエクスプレスカードが進入する様子を概略的に示す図である。
【図１５】収容空間内でエクスプレスカードの端子とコネクタとが接続される様子を概略的に示す図である。
【図１６】収容空間内でエクスプレスカードの端子とコネクタとが接続される様子を概略的に示す図である。
【図１７】本発明の第３実施形態に係るコネクタユニットの構造を概略的に示す斜視図である。
【図１８】第１および第２カバーの構造を概略的に示す斜視図である。
【図１９】収容空間にエクスプレスカードが進入する様子を概略的に示す図である。
【図２０】収容空間にエクスプレスカードが進入する様子を概略的に示す図である。
【符号の説明】
【００６８】
１１  電子機器（ノートブックパーソナルコンピュータ）、１２  筐体（本体筐体）、１８  開口（差し込み口）、２１、２１ａ、２１ｂ  コネクタユニット、２２  本体、２５  開口（進入口）、２６  コネクタ、２７  第１収容空間、２８  第２収容空間、２９  境界面、３３  視認部材、３４  案内面、３６  案内機構、６１  視認部材（第１カバー）、６２  視認部材（第２カバー）。
【図１】
2007115519.tif 000003
【図２】
2007115519.tif 000004
【図３】
2007115519.tif 000005
【図４】
2007115519.tif 000006
【図５】
2007115519.tif 000007
【図６】
2007115519.tif 000008
【図７】
2007115519.tif 000009
【図８】
2007115519.tif 000010
【図９】
2007115519.tif 000011
【図１０】
2007115519.tif 000012
【図１１】
2007115519.tif 000013
【図１２】
2007115519.tif 000014
【図１３】
2007115519.tif 000015
【図１４】
2007115519.tif 000016
【図１５】
2007115519.tif 000017
【図１６】
2007115519.tif 000018
【図１７】
2007115519.tif 000019
【図１８】
2007115519.tif 000020
【図１９】
2007115519.tif 000021
【図２０】
2007115519.tif 000022